(57)【要約】【課題】  簡易な構成で複数の観察者に別々の画像を同時に視認させることができる投影表示システムを提供する。【解決手段】  本発明の投影表示システムは、再帰性反射材で構成されたスクリーン１０と、該スクリーンに対する複数の観察者５Ａ，５Ｂ，５Ｃの視線方向とそれぞれ略同一方向から前記スクリーン１０上に画像を投影するための複数の画像投影手段２０Ａ，２０Ｂ，２０Ｃとを有することを特徴とする。画像投影手段２０Ａ，２０Ｂ，２０Ｃは観察者５Ａ，５Ｂ，５Ｃの頭部などに装着される。【選択図】  図４
2005055822.tif 000002
【特許請求の範囲】
【請求項１】
再帰性反射材で構成されたスクリーンと、該スクリーンに対する複数の観察者の視線方向とそれぞれ略同一方向から前記スクリーン上に画像を投影するための複数の画像投影手段とを有することを特徴とする投影表示システム。
【請求項２】
前記画像投影手段は、前記観察者とともに移動するように構成されていることを特徴とする請求項１に記載の投影表示システム。
【請求項３】
前記画像投影手段は、前記観察者に装着可能に構成されていることを特徴とする請求項２に記載の投影表示システム。
【請求項４】
前記画像投影手段は、前記観察者の頭部に装着可能に構成されていることを特徴とする請求項３に記載の投影表示システム。
【請求項５】
前記画像投影手段の画像投影と並行して音声を発生することの可能な音声発生手段を有することを特徴とする請求項１乃至４のいずれか一項に記載の投影表示システム。
【請求項６】
再帰性反射材で構成されたスクリーンと、所定位置から前記スクリーンに画像を投影する画像投影手段と、前記所定位置を表示する位置表示手段とを有することを特徴とする投影表示システム。
【請求項７】
前記位置表示手段として、前記所定位置に観察者を着座させる着座部が設けられていることを特徴とする請求項６に記載の投影表示システム。
【請求項８】
複数の前記画像投影手段が相互に異なる位置に配置されていることを特徴とする請求項６又は７に記載の投影表示システム。
【請求項９】
前記複数の画像投影手段のうちの少なくとも２つの前記画像投影手段によりそれぞれ投影される前記スクリーン上の画像範囲の少なくとも一部が相互に重なるように構成されていることを特徴とする請求項８に記載の投影表示システム。
【請求項１０】
再帰性反射材で構成されたスクリーンと、相互に異なる位置から前記スクリーンに画像を投影する複数の画像投影手段とを有することを特徴とする投影表示システム。
【請求項１１】
前記複数の画像投影手段のうちの少なくとも２つの前記画像投影手段によりそれぞれ投影される前記スクリーン上の画像範囲の少なくとも一部が相互に重なるように構成されていることを特徴とする請求項１０に記載の投影表示システム。
【請求項１２】
前記スクリーンは観察者の通行路に臨むように配置され、少なくとも２つの前記画像投影手段は、それぞれ前記スクリーンに対して前記通行路の異なる方向から、或いは、前記スクリーンに対する異なる距離から画像を投影するように構成されていることを特徴とする請求項１０又は１１に記載の投影表示システム。
【請求項１３】
前記画像投影手段は、観察者の左右の目にそれぞれ対応した画像を前記スクリーン上にそれぞれ投影するように構成されていることを特徴とする請求項１乃至１２のいずれか一項に記載の投影表示システム。
【発明の詳細な説明】
【技術分野】
【０００１】
本発明は投影表示システムに係り、特に、複数の観察者によって同時に視認される表示内容を実現するための表示システム、或いは、複数の表示内容を同時に表示するための表示システムに関する。
【背景技術】
【０００２】
一般に、現在用いられている通常の表示装置は、一つの表示画面に同時に一つの画像（映像など）だけを表示することしかできない。例えば、多数の観察者に視聴させる場合には、大画面の表示装置を用意することになるが、この場合には、同時点において多数の観察者が同一の画像を見ることになる（例えば以下の特許文献１参照）。
【０００３】
一方、現実の物体とほぼ同様の画像を視認できるように構成したバーチャルリアリティ技術が盛んに研究されており、このような画像表示装置としてヘッドマウントディスプレイなどの開発が行われている。このようなバーチャルリアリティ技術を応用した画像表示装置としては、特殊な光学系やセンサなどを用いて移動可能に構成したスクリーン上に現実感のある３次元的画像を形成するように構成した提案が知られている（例えば、以下の特許文献２参照）。
【特許文献１】特開平５−３５５９号公報
【特許文献２】特開２０００−１０１９４号公報
【発明の開示】
【発明が解決しようとする課題】
【０００４】
しかしながら、前述の如く、通常の表示装置では、複数の観察者に対して同時点において同一の画像を見せることができるだけであり、複数の観察者が別々の映像を見たい場合には複数の表示装置を用意する必要があることから、複数の表示装置を設置するために広い場所が必要となるとともに多額の費用が必要になるという問題点がある。
【０００５】
また、バーチャルリアリティ技術を応用した上記の画像表示装置では、観察者やスクリーンの動きを検出して複雑な処理を行うことが必要であり、システム構成が複雑になるとともに観察者に対する制約も大きくなるので、実際の表示装置として構成することが難しいという問題点がある。
【０００６】
そこで、本発明は上記の問題点を解決するものであり、その課題は、簡易な構成で複数の観察者に別々の画像を同時に視認させることができる投影表示システムを提供することにある。より具体的には、観察者がスクリーンに対して自由な位置で画像を見ることができ、また、観察者が所定の位置に移動することによってはじめて所定の画像を見ることができ、或いは、複数の観察者が別々の画像を共通のスクリーン上において同時に見ることができる投影表示装置を提供することにある。
【課題を解決するための手段】
【０００７】
本発明の投影表示システムは、再帰性反射材で構成されたスクリーンと、該スクリーンに対する複数の観察者の視線方向とそれぞれ略同一方向から前記スクリーン上に画像を投影する複数の画像投影手段とを有することを特徴とする。
【０００８】
この発明によれば、画像投影手段によって画像が再帰性反射材で構成されたスクリーン上に投影されると、スクリーンからはその再帰性により投影方向に画像を構成する光が戻るので、投影方向と略同一方向に設定される視線方向を有する観察者によってスクリーン上の画像が視認される。このとき、複数の画像投影手段は複数の観察者の視線方向と略同一方向からスクリーン上に画像を投影するように構成されていることにより、複数の観察者が異なる位置からスクリーンを臨むようにすれば、それぞれ個別にスクリーン上に投影された画像を視認することができる。したがって、共通のスクリーンを用いて複数の観察者が別々の画像を他の人に妨げられることなく同時に観賞することができる。
【０００９】
本発明において、前記画像投影手段は、前記観察者とともに移動するように構成されていることが好ましい。これによれば、画像投影手段が観察者とともに移動するように構成されていることにより、観察者が移動しても常にスクリーン上の画像を視認できるようになる。
【００１０】
本発明において、前記画像投影手段は、前記観察者に装着可能に構成されていることが好ましい。これによれば、観察者に画像投影手段が装着されることにより、画像投影手段に移動機構などを設けなくても画像投影手段を観察者とともに移動させることができる。
【００１１】
本発明において、前記画像投影手段は、前記観察者の頭部に装着可能に構成されていることが望ましい。これによれば、画像投影手段の投影位置を観察者の目により近い位置に設定できるので、より高品位の画像を視認できるようになる。
【００１２】
なお、画像投影手段の位置は、必ずしも実際の画像投影機器の光出射位置とは一致しない場合がある。例えば、ビームスプリッタなどを用いて画像投影機器の光出射位置から出射される光を偏向することにより、スクリーンに対する投影方向を観察者の視線方向と略一致させることができる。なお、画像投影手段による投影画像の物点を観察者の目に対して光学的に共役な位置に設定することによって観察者が最も良好な画像を視認できるようになる。
【００１３】
本発明において、前記画像投影手段の画像投影と並行して音声を発生することの可能な音声発生手段を有することが望ましい。これによれば、観察者はスクリーン上に投影された画像とともに音声を聴取することができる。
【００１４】
次に、本発明の別の投影表示システムは、再帰性反射材で構成されたスクリーンと、所定位置から前記スクリーンに画像を投影する画像投影手段と、前記所定位置を表示する位置表示手段とを有することを特徴とする。
【００１５】
この発明によれば、観察者が位置表示手段により表示された所定位置に移動することによって、画像投影手段によって投影されたスクリーン上の画像を視認することができる。したがって、例えば、展示会、博物館、資料館、美術館などにおいて、他の人に妨げられずに、また、他の作品に気をそがれることなしに、観察したい作品のみを観賞することができる。ここで、位置表示手段としては、画像投影手段によって投影される画像の内容を示す説明、観察者の観察位置を示す標識などが挙げられる。より具体的には、説明や標識などの表示を床、壁、パネル、天井などに表したものである。
【００１６】
本発明において、前記位置表示手段として、前記所定位置に観察者を着座させる着座部が設けられていることが好ましい。これによれば、観察者が着座部に着座することによって観察者の頭部位置が定まるので、スクリーンに対する観察者の視線方向をより正確に設定することができるため、スクリーン上に投影された画像をより良好に視認させることが可能になるとともに、観察者も着座することができるため、リラックスして画像を視認できる。
【００１７】
本発明において、複数の前記画像投影手段が相互に異なる位置に設けられていることが好ましい。これによれば、観察者は任意の画像を自ら選択して視認することができる。また、この場合に、複数の前記画像投影手段のうちの少なくとも２つの前記画像投影手段によりそれぞれ投影される前記スクリーン上の画像範囲の少なくとも一部が相互に重なるように構成されていることが望ましい。これによれば、限られたスクリーン上に複数の観察者が別々の画像を視認できるようになる。したがって、個々の画像投影手段によって投影される画像範囲の大きさを他の画像に影響されずに設定することができるとともに、多数の画像を一定のスクリーン上に同時に並行して投影し表示することが可能になる。
【００１８】
次に、本発明のさらに別の投影表示システムは、再帰性反射材で構成されたスクリーンと、相互に異なる位置から前記スクリーンに画像を投影する複数の画像投影手段とを有することを特徴とする。
【００１９】
この発明によれば、限られたスクリーン上に複数の観察者が別々の画像を視認できるようになる。また、観察者の位置に応じて異なる画像を視認できるように構成することができる。
【００２０】
本発明において、前記複数の画像投影手段のうちの少なくとも２つの前記画像投影手段によりそれぞれ投影される前記スクリーン上の画像範囲の少なくとも一部が相互に重なるように構成されていることが好ましい。これによれば、個々の画像投影手段によって投影される画像範囲の大きさを他の画像に影響されずに設定することができるとともに、多数の画像を一定のスクリーン上に同時に投影し表示することが可能になる。
【００２１】
本発明において、前記スクリーンは観察者の通行路に臨むように配置され、少なくとも２つの前記画像投影手段は、前記通行路の異なる方向から、或いは、前記スクリーンに対する異なる距離から画像を投影するように構成されていることが好ましい。これによれば、スクリーンに対して通行路の一側にいる観察者と、通行路の他側にいる観察者とが相互に異なる表示を視認することができ、或いは、スクリーンに対して異なる距離にいる通行路上の観察者が相互に異なる表示を視認することができる。したがって、通行路上の観察者の位置に応じた表示内容を視認させることができるので、例えば、交通標識、道案内表示、広告宣伝などに用いる場合に有効である。
【００２２】
本発明において、前記画像投影手段は、観察者の左右の目にそれぞれ対応した画像を前記スクリーン上にそれぞれ投影するように構成されていることが好ましい。これによれば、観察者の左右の目にそれぞれ対応した画像をスクリーン上に投影することによって所定の光学効果を発揮することが可能になる。例えば、左右の目の視線位置にそれぞれ対応した画像を投影することによって、観察者に３次元的な表示態様を視認させることができる。この場合、左右の目の視線位置にそれぞれ対応した画像を左右の目の視線方向にほぼ対応した方向からスクリーン上に投影することにより、より具体的には左右の目に対して光学的にそれぞれ共役な物点を有する画像をスクリーン上に投影することにより、観察者に特殊なめがねなどを装着させなくても３次元的な画像を視認させることが可能になる。
【発明を実施するための最良の形態】
【００２３】
次に、図面を参照して、本発明に係る投影表示システムの実施形態について説明する。図１は、本実施形態の投影表示システムの基本的構成を示す概略説明図である。本実施形態の投影表示システムは、再帰性反射材で構成されたスクリーン１０と、このスクリーン１０に対して所定の画像を投影する画像投影手段２０とを有する。
【００２４】
スクリーン１０は再帰性反射材で構成される。再帰性反射材は、入射した光を入射方向に反射させる性質を備えたものである。より具体的には、スクリーン１０は、図２に示すように、基材１１上に形成された反射材１２と、この反射材１２の前面側に配置された（より具体的には反射材１２に一部埋設された）樹脂などの光透過材で構成された透明ビーズ１３とを有する。基材１１は布などの可撓性素材で構成されることが好ましい。透明ビーズ１３は、屈折率の異なる透明素材中に完全に埋設された状態で配置されていてもよい。また、図３に示すように、基材１１′上に空気層１２′を介して配置された光学材１３′を有し、光学材１３′がマイクロプリズム１３ａ′を備えたスクリーン１０′を用いることもできる。マイクロプリズム１３ａ′は、角錐状若しくは円錐状の突起を平面的に縦横に配列してなるものである。
【００２５】
なお、本実施形態のスクリーン１０において、上記再帰性反射材の上記構造の平面的な構造周期は、投影表示システムに要求される画像解像度以下とされる。また、画像投影手段２０によるスクリーン１０上の投影画像の解像度よりもスクリーン１０の構造周期が小さいことが好ましい。これによって、画像投影手段２０の解像度をスクリーン１０上で確実に実現できるため、画像投影手段２０の性能を有効に発揮することができる。
【００２６】
画像投影手段２０は、液晶プロジェクタ、スライドプロジェクタなどの各種の画像投影装置によって構成することができる。例えば、図１２には液晶プロジェクタで構成した画像投影手段２０の一例を示してある。この画像投影手段２０のハウジング内には、図示断面で示す光学ユニットが内蔵されており、この光学ユニットには、光源を含む照明用光学系と、光源光を赤、緑、青の各光束Ｒ，Ｇ，Ｂに分離する色分離光学系と、後述する各液晶ライトバルブを透過させた後に各光束Ｒ，Ｇ，Ｂを再合成する色合成光学系と、色分離光学系から色合成光学系へと光束を導く導光系とを備えている。
【００２７】
照明用光学系には、光源ランプ２０１と、微小レンズの集合体からなるインテグレータレンズ２０２，２０３と、偏光分離膜と１／４波長板との集合体からなる偏光変換素子２０４と、反射ミラー２０５とが設置されている。光源ランプとしてはハロゲンランプ、メタルハライドランプ、キセノンランプなどを用いることができる。偏光変換素子２０４は、光軸に対して傾斜した偏光分離膜を配列させた状態に内蔵する透光板が１／４波長板に接した構造を備えており、入射光のうちＳ偏光は偏光分離膜を透過し、偏光分離膜にて反射されたＰ偏光は隣接する別の偏光分離膜にて反射されてＳ偏光に変換されるので、入射光をＳ偏光に揃えることができる。
【００２８】
色分離光学系には、赤緑反射ダイクロイックミラー２０６と、緑反射ダイクロイックミラー２０８が設置されており、赤緑反射ダイクロイックミラー２０６において光束Ｒ及びＧは反射され、光束Ｂは透過する。反射された光束Ｒ及びＧのうち、光束Ｇは緑反射ダイクロッイックミラー２０８にて反射され、光束Ｒは緑反射ダイクロイックミラー２０８を透過する。
【００２９】
導光系においては、光束Ｂは反射ミラー２０７にて反射され、集光レンズ２１５に入射する。光束Ｇは緑反射ダイクロイックミラー２０７から直接集光レンズ２１４に入射する。光束Ｒは入射側レンズ２０９、反射ミラー２１０、中間レンズ２１１及び反射ミラー２１２を経て集光レンズ２１３に入射する。
【００３０】
集光レンズ２１３，２１４，２１５の先には、それぞれ液晶ライトバルブ２１６，２１７，２１８が取り付けられている。これらの液晶ライトバルブは、後述する液晶パネルをパネル取付枠に収容し、フレキシブル配線基板などの配線部材を接続させた液晶パネルモジュールによって構成され、後述するパネル取付枠を光学ユニット内の支持固定部２１９に対して挿入固定することによって設置される。これらのライトバルブは、図示しない制御駆動手段（上記配線部材に導電接続される。）によって所望の画像情報に応じてスイッチングが制御され、各光束Ｒ，Ｇ，Ｂに対する変調を行う。
【００３１】
色合成光学系では、上記液晶ライトバルブ２１６，２１７，２１８によってそれぞれに変調されて所定の画像成分を構成するようにされた各光束Ｒ，Ｇ，Ｂを３つの面にて受けるダイクロイックプリズムを構成するキュービック状のプリズムユニット２２０が設置されている。プリズムユニット２２０は各光束Ｒ，Ｇ，Ｂを合成し、所望の画像情報を含むカラー画像を構成する。このカラー画像は、投射レンズユニット２２１により所定位置にある図示しないスクリーン上に拡大投影される。
【００３２】
このような画像投影手段２０においては、各液晶ライトバルブ２１６，２１７，２１８によって変調形成された各画像成分のうち、液晶ライトバルブ２１６と２１８によって形成された画像成分はプリズムユニット２２０内の選択的反射面にて反射されるが、液晶ライトバルブ２１７によって形成された画像成分は反射されることなくそのままプリズムユニット２２０を透過する。したがって、光束Ｒ，Ｂに基づいて形成された画像成分と、光束Ｇに基づいて形成された画像成分とは、左右方向に垂直軸を対称軸として互いにミラー反転された状態で合成され、前方に投射されることになる。
【００３３】
上記の画像投影手段２０は、３枚の液晶ライトバルブ２１６〜２１８を用いたものを示したが、本実施形態の画像投影手段２０としては、カラーフィルタを内蔵した１枚の液晶ライトバルブを用いるもので構成することもできる。この場合には、画像投影手段をよりコンパクトに構成することが可能になる。もちろん、カラー画像を投影する必要がなければモノクロの画像投影手段としても構わない。
【００３４】
図１に示すように、本実施形態の画像投影手段２０により投射される投影光２０Ｐがスクリーン１０に当たると、スクリーン１０が再帰性反射材で構成されていることから、投影方向とほぼ同じ方向に反射された反射光２０Ｑが生ずる。したがって、画像投影手段２０の光投射位置を観察者５の目に近接させて配置することによって、観察者５は画像投影手段２０によりスクリーン上に投影された画像を視認することができる。一方、画像投影手段２０の光投射位置から離れたところに居る別の観察者はほとんど上記画像を視認することができない。ここで、画像投影手段２０の光投射位置を観察者５の目に近接させて配置するとは、画像投影手段２０の投影画像の物点が観察者５の目に対する光学的に共役な位置の近傍に配置されるように構成することを意味する。もちろん、上記物点が観察者の目に対する光学的に共役な位置に配置されるように構成されることが最も望ましい。
【００３５】
図４は、本実施形態の構成を示す概略説明図である。上記のスクリーン１０に対して、複数の画像投影手段２０Ａ，２０Ｂ，２０Ｃが用意され、それぞれが観察者５Ａ，５Ｂ，５Ｃのスクリーン１０に対する視線方向と略一致した投影方向を有するように構成される。より具体的には、例えば、画像投影手段２０Ａ，２０Ｂ，２０Ｃが観察者５Ａ，５Ｂ，５Ｃの頭部にバンドなどの装着手段を介して装着され、常に、観察者５Ａ，５Ｂ，５Ｃの視線方向とほぼ等しい投影方向が得られるように設定される。
【００３６】
上記のように構成することによって、共通のスクリーン１０に対して複数の画像投影手段２０Ａ〜２０Ｃから画像を投影することができ、それぞれの投影画像は、投影方向がほぼ一致する視線方向を有する観察者５Ａ〜５Ｃのみに視認される。すなわち、或る観察者５Ａにとっては、画像投影手段２０Ａにより投影される画像のみが視認され、他の画像投影手段２０Ｂ，２０Ｃにより投影される画像は視認されないので、複数の観察者によって共通のスクリーン１０を共用しつつ、別々の画像を個別に視認することができる。
【００３７】
図５は、スクリーン１０Ａ，１０Ｂ，１０Ｃを配置した空間内に、複数の画像投影手段２０Ａａ，２０Ａｂ，２０Ａｃ，２０Ｂ，２０Ｃを配置した様子を示す。ここで、それぞれの画像投影手段によって投影された画像を視認できる位置が位置表示手段２１Ａａ、２１Ａｂ，２１Ａｃ，２１Ｂａ，２１Ｃａによって表示されている。この位置表示手段は、床やパネルなどに描かれたマーク（矢印など）や文字などで構成することができる。
【００３８】
この構成例では、位置表示手段によって表示された位置に観察者が位置することにより、当該観察者は各画像表示手段によって投影された画像を視認することができる。また、その位置に対応する画像以外の他の画像表示手段によって投影された画像を視認することはできないため、目的の画像のみを集中して観察することができる。
【００３９】
ここで、複数の画像投影手段のうち、少なくとも２つの画像投影手段２０Ａａ，２０Ａｂ，２０Ａｃは、その投影された画像範囲の少なくとも一部が相互に重なるように構成されている。これによって、共通に用いられるスクリーン１０Ａの面積を大きくしなくても、数多くの画像を個別に視認できるように構成することができる。
【００４０】
図５に示す構成は、例えば、博物館、美術館、展示館などにおいて、各種の展示物を投影画像として表示する場合に特に有効である。この場合、上記の位置表示手段は、上述のようなマークでなくてもよく、例えば、図６に示すような着座部２１を構成する椅子（スツールやベンチ）であってもよい。この場合、図示のように画像投影手段２０を着座部２１自体に装備してもよい。また、着座部２１自体ではなく、着座部２１に着座するときに観察者の頭部に近接した位置に配置されていてもよく、例えば、図６に二点鎖線で示すように、天井や床に固定された支持体２５′に画像投影手段２０′が装着されていてもよい。さらに、図６に三点鎖線で示す画像表示手段２０″のように、支持体２５″などによって適宜に支持固定された画像投影部２０Ａ″と、この画像投影部２０Ａ″から投射された光を観察者の視線方向に偏向させてスクリーン１０上に向けるためのハーフミラーやビームスプリッタなどの光偏向材２０Ｂ″とを含むものであってもよい。この場合、画像投影手段の投影画像の物点位置が観察者の目に対して光学的に共役な位置にほぼ一致するように構成されていることが望ましい。
【００４１】
図７は、図１、図４及び図５に示す各構成例において観察者の頭部に装着可能なヘッドセットを模式的に示す概略構成平面図である。この図７に示すヘッドセット３０は、観察者の頭部に装着するためのバンド部３１と、このバンド部３１に固定された画像投影手段３２と、バンド部３１の両端に取り付けられたスピーカ部３３Ｒ，３３Ｌとを備えている。このヘッドセット３０は基本的にヘッドホンの態様を有する。画像投影手段３２は、バンド部３１の左右いずれかの部分、或いは、中央部分に固定される。これによって、観察者は、再帰性反射材で構成されたスクリーン上に画像投影手段３２から投射された画像を視認することができる。また、上記画像と同時に、スピーカ部３３Ｒ，３３Ｌによって音声を聴取することもできる。
【００４２】
図８は、上記とは異なる別のヘッドセット４０を模式的に示す概略構成平面図である。このヘッドセット４０は、バンド部４１の左右位置にそれぞれ画像投影手段４２Ｒ，４２Ｌが固定されている点で上記と異なる。スピーカ部４３Ｒ，４３Ｌは上記と同様である。このヘッドセット４０では、右側の画像投影手段４２Ｒによって観察者が右目で見たときの表示態様がスクリーン上に投影され、左側の画像投影手段４２Ｌによって観察者が左目で見たときの表示態様がスクリーン上に投影される。そして、画像投影手段４２Ｒによって投影された画像は観察者の右目で主として観察され、画像投影手段４２Ｌによって投影された画像は観察者の左目で主として観察されるように構成されている。これによって、観察者は、スクリーン上に投影された３次元的な画像を視認することができる。
【００４３】
この場合、観察者が左右の目にて受ける光の種類を相互に異ならせるための特殊めがね４５を掛けるようにし、上記の左右の画像投影手段４２Ｒ，４２Ｌによって投影される光の種類を相互に異ならせることによって、観察者が左右の目で見る両画像の選択性を向上させることができる。例えば、画像投影手段４２Ｒの画像を構成する光を縦偏光とし、画像投影手段４２Ｌの画像を構成する光を横偏光とし、さらに、特殊めがね４５の右側のレンズが縦偏光のみを透過するものとし、左側のレンズが横偏光のみを透過するものとすることによって、画像投影手段４２Ｒの画像は右目でのみ観察され、画像投影手段４２Ｌの画像は左目でのみ観察されるようにすることができる。光の種類が異なる例としては、上記のように光の偏向面の方位（偏向方向）について異なるものの他に、光の波長が異なるものが挙げられる。
【００４４】
図９は、上記ヘッドセット４０の制御系の概略構成を示す概略構成図である。ＭＰＵやコントローラなどで構成される主制御装置１０１は、元の画像データと音声データを同期的に画像処理装置１０２や音声処理装置１０３に送る。画像処理装置１０２では、主制御装置１０１から送られた画像データを処理して右目用画像データ及び左目用画像データを生成し、これらを上記の画像投影手段４２Ｒ，４２Ｌに送出する。一方、音声処理装置１０３は、主制御装置１０１から送られた音声データを画像処理装置１０２と同期させて上記スピーカ部４３Ｒ，４３Ｌに送出する。
【００４５】
図１０は、車両（自動車）５０の内部に再帰性反射材で構成されたスクリーン５４を配置した様子を示す概略説明平面図である。このスクリーン５４は、前部座席（運転席５１又は助手席５２）と、後部座席５３との間に配置される。特に、前部座席５１，５２の背もたれ部分近傍に設置されることが好ましい。この場合、車両５０の中央部分ではなく、運転席５１と助手席５２のいずれか一方の後方に配置されることが望ましい。このようにすると、運転者がバックミラー５５を用いて後方を確認することをスクリーン５４が妨害しないように構成できるからである。
【００４６】
上記のようにスクリーン５４を設置して、後部座席５３に座った観察者が図７又は図８に示すヘッドセット３０，４０などを装着することによって、スクリーン５４上に投影された画像を見ることができる。この場合に、後部座席５３に二人以上の人が搭乗しても、それぞれの人が上記ヘッドセットを装着することによって別々の画像を共通のスクリーン５４上に見ることができる。なお、画像投影手段を車両５０の内部、例えば、後部座席５３のヘッドレスト、後部座席５３の上方の天井部分などに支持固定するようにしてもよい。また、上記では車両として自動車の例をあげたが、これにかえて飛行機（航空機）としてもよい。この場合、前方の座席の後面（背面）においてスクリーンを保持させ、画像投影手段を用いて投影、観察等を行うことが出来る。
【００４７】
図１１は、観察者が通過する通行路（図示例の場合は道路）６１の傍らに再帰性反射材で構成されたスクリーン（投影パネル）６２を設置し、通行路６１の一方側からスクリーン６２に向けて画像を投影する画像投影手段６３Ａと、通行路６１の他方側からスクリーン６２に向けて画像を投影する画像投影手段６３Ｂとを設置する。
【００４８】
このようにすると、通行路６１の一方側から進む観察者（図示例では車両に搭乗している人）６１Ａは、画像投影手段６３Ａが投影する画像のみを視認することになり、通行路６１の他方側から進む観察者（同上）６１Ｂは、画像投影手段６３Ｂが投影する画像のみを視認することになる。したがって、観察者６１Ａと６１Ｂの必要に応じた画像をそれぞれスクリーン上に投影することによって、従来の立て看板などよりも高機能の表示態様を実現できる。例えば、観察者６１Ａ、６１Ｂに対してそれぞれが進行する先の道路地図、行き先の情報などを別々に表示することができる。
【００４９】
この実施形態では、画像投影手段６３Ａ，６３Ｂの設置位置に応じて、通行路６１の所定範囲においてのみ特定の表示内容が視認できるように構成できる。例えば、通行路６１の一方側からスクリーン６２に向けて画像を投影する複数の画像投影手段をスクリーン６２に対して異なる位置に設置する。例えば、画像投影手段６３Ａと画像投影手段６３Ａ′とを設置することにより、同一方向に進む観察者６１Ａがスクリーン６２までの距離が近づくに従って異なる複数の表示内容を順次に視認するように構成することができる。例えば、スクリーン６２まで遠い位置では視認しやすいように大きな文字や絵柄で表示し、スクリーン６２に近づくと、より小さな文字や絵柄で多くの情報を視認できるようにするといった構成が考えられる。
【００５０】
尚、本発明の投影表示システムは、上述の図示例にのみ限定されるものではなく、本発明の要旨を逸脱しない範囲内において種々変更を加え得ることは勿論である。
【図面の簡単な説明】
【００５１】
【図１】本実施形態の概念構成を示す概略斜視図。
【図２】スクリーンの断面構造を拡大して示す拡大部分断面図。
【図３】別のスクリーンの拡大部分断面図。
【図４】本実施形態の構成を示す概略平面図。
【図５】別の実施形態の構成を示す概略斜視図。
【図６】位置表示手段の例を示す概略構成図。
【図７】ヘッドセットの一例を示す概略平面図。
【図８】ヘッドセットの他の例を示す概略平面図。
【図９】ヘッドセットを含むシステムの構成を示す概略構成ブロック図。
【図１０】さらに別の実施形態を示す概略平面図。
【図１１】異なる実施形態を示す概略平面図。
【図１２】画像投影手段の構成例を示す概略断面図。
【符号の説明】
【００５２】
１０…スクリーン、１１…基材、１２…反射材、１３…透明ビーズ、２０…画像投影手段、２１…着座部
【図１】
2005055822.tif 000003
【図２】
2005055822.tif 000004
【図３】
2005055822.tif 000005
【図４】
2005055822.tif 000006
【図５】
2005055822.tif 000007
【図６】
2005055822.tif 000008
【図７】
2005055822.tif 000009
【図８】
2005055822.tif 000010
【図９】
2005055822.tif 000011
【図１０】
2005055822.tif 000012
【図１１】
2005055822.tif 000013
【図１２】
2005055822.tif 000014